(57)【要約】【課題】高精度な読み取りを可能とする。【解決手段】画像読取装置ｇ４１は、用紙の通常の搬送路Ｐ１と、当該搬送路Ｐ１から分岐する読取用の搬送路Ｐ２と、特定の画像が形成され、定着処理された用紙が通常の搬送路Ｐ１に搬送されると、当該用紙を読取用の搬送路Ｐ２へ分岐させ、当該搬送路Ｐ２では通常の搬送路Ｐ１における搬送速度より低速で用紙を搬送する搬送部と、読取用の搬送路Ｐ２に搬送された用紙上の特定の画像を読み取る読取部４７１及び４８１と、読取部４７１及び４８１と用紙を挟んで対向する位置に配置され、読取部４７１及び４８１との距離が主走査方向において一定である面を有する用紙担持体ｄ１と、用紙担持体ｄ１に用紙を吸着させる吸着部４６Ａと、を備える。【選択図】図２
2015015512.tif 000002
【特許請求の範囲】
【請求項１】
用紙の通常の搬送路と、
前記通常の搬送路から分岐する読取用の搬送路と、
特定の画像が形成され、定着処理された用紙が前記通常の搬送路に搬送されると、当該用紙を前記読取用の搬送路へ分岐させ、前記読取用の搬送路では前記通常の搬送路における搬送速度より低速で用紙を搬送する搬送部と、
前記読取用の搬送路に搬送された用紙上の前記特定の画像を読み取る１又は複数の読取部と、
前記読取部と用紙を挟んで対向する位置に配置され、前記読取部との距離が主走査方向において一定である面を有する用紙担持体と、
前記用紙担持体に用紙を吸着させる吸着部と、
を備える画像読取装置。
【請求項２】
前記搬送部は、前記通常の搬送路から前記調整用の搬送路へ用紙を分岐させると、用紙の搬送を一時停止し、前記通常の搬送路における搬送速度より低速で用紙を前記用紙担持体へ搬送する、
請求項１に記載の画像読取装置。
【請求項３】
前記用紙担持体は、前記読取部との距離が主走査方向において一定である外周面を有する回転体であり、
前記吸着部は、前記回転体の外周面に用紙を吸着させる、
請求項１又は２に記載の画像読取装置。
【請求項４】
前記用紙担持体は、前記読取部との距離が主走査方向において一定であるベルト面を有するループベルトであり、
前記吸着部は、前記ループベルトのベルト面に用紙を吸着させる、
請求項１又は２に記載の画像読取装置。
【請求項５】
前記用紙担持体は、金属又は樹脂により構成されている、
請求項１〜４のいずれか一項に記載の画像読取装置。
【請求項６】
前記吸着部は、前記用紙を前記用紙担持体に静電吸着させるか、又はエアー吸引により吸着させる、
請求項１〜５のいずれか一項に記載の画像読取装置。
【請求項７】
前記複数の読取部は、それぞれ種類が異なる読取部であり、前記用紙担持体に吸着した用紙と対向するように、用紙の搬送方向に並べて配置されている、
請求項１〜６のいずれか一項に記載の画像読取装置。
【請求項８】
前記読取部は、カラーラインイメージセンサー、分光測色センサー、色彩センサー又は光沢センサーである、
請求項７に記載の画像読取装置。
【請求項９】
前記複数の読取部のうち、用紙の搬送方向上流に位置する読取部が、カラーラインイメージセンサーであり、当該カラーラインイメージセンサーよりも搬送方向下流に位置する他の読取部が、分光測色センサー、色彩センサー又は光沢センサーであり、
前記カラーラインイメージセンサーにより読み取られた前記特定の画像の位置に合わせて、前記分光測色センサー、色彩センサー又は光沢センサーを主走査方向に移動させる移動部を備える、
請求項８に記載の画像読取装置。
【請求項１０】
前記読取用の搬送路に搬送された用紙専用の排紙トレイを備え、
前記搬送部は、前記特定の画像の読み取りが終了した用紙を、前記排紙トレイに搬送する、
請求項１〜９のいずれか一項に記載の画像読取装置。
【請求項１１】
用紙上に画像を形成し、定着処理する画像形成装置と、
前記画像形成装置により用紙上に形成された特定の画像を読み取る画像読取装置と、を備え、
前記画像読取装置は、
前記画像形成装置から、後処理装置又は排紙トレイへ用紙を搬送する通常の搬送路と、
前記通常の搬送路から分岐する読取用の搬送路と、
前記画像形成装置により、前記特定の画像が形成され、定着処理された用紙が前記通常の搬送路に搬送されると、当該用紙を前記読取用の搬送路へ分岐させ、前記読取用の搬送路では前記通常の搬送路における搬送速度より低速で用紙を搬送する搬送部と、
前記読取用の搬送路に搬送された用紙上の前記特定の画像を読み取る１又は複数の読取部と、
前記読取部と用紙を挟んで対向する位置に配置され、前記読取部との距離が主走査方向において一定である面を有する用紙担持体と、
前記用紙担持体に用紙を吸着させる吸着部と、
を備える画像形成システム。
【発明の詳細な説明】
【技術分野】
【０００１】
本発明は、画像読取装置及び画像形成システムに関する。
【背景技術】
【０００２】
画像形成装置は、安定した画質で画像を形成するため、定期的に画質調整用の画像を形成し、当該画像を読み取って得られた読取値に応じて、画像形成条件又は画像処理条件を調整している（例えば、特許文献１及び２参照）。
【０００３】
生産性向上のため、画像形成装置では画像形成の高速化がすすめられており、高速で搬送される用紙に合わせて、読み取りの高速化も求められている。
しかし、読み取りに用いられるセンサーを高速で駆動すると、光量が不足しやすい。ノイズも発生しやすく、読取精度が低下するため、画質を精度良く調整することができない。
また、高速で搬送される用紙はバタつきやすく、用紙面とセンサー間の距離が大きく変動してセンサーの焦点が外れるため、高精度な読み取りができない。
【０００４】
従来は、画質調整用の特定の画像を形成する場合のみ、センサーの走査速度を低速化するか（例えば、特許文献３参照）、又は像担持体の駆動速度を低速化して（例えば、特許文献４参照）、安定した読み取りが行えるようにしていた。
【先行技術文献】
【特許文献】
【０００５】
【特許文献１】特開２００５−２０２０２８号公報
【特許文献２】特開２００６−１０４９号公報
【特許文献３】特開平６−２４５０６６号公報
【特許文献４】特開２００３−２１９３９号公報
【発明の概要】
【発明が解決しようとする課題】
【０００６】
しかしながら、従来のようにセンサーの走査速度又は像担持体の駆動速度を低速化するためには、画像形成の速度も低速化しなければならなかった。
【０００７】
また、用紙上の画像を読み取る場合、定着処理後に読み取りが行われることが一般的である。しかし、定着処理直後の用紙は高温高湿の環境下にあり、収縮したり、カールしたりして、用紙の状態が不安定である。読取時に用紙が不安定な状態にあると、用紙面と読取センサー間の距離が変動し、読取精度が低下する。
【０００８】
本発明の課題は、高精度な読み取りを可能とすることである。
【課題を解決するための手段】
【０００９】
請求項１に記載の発明によれば、
用紙の通常の搬送路と、
前記通常の搬送路から分岐する読取用の搬送路と、
特定の画像が形成され、定着処理された用紙が前記通常の搬送路に搬送されると、当該用紙を前記読取用の搬送路へ分岐させ、前記読取用の搬送路では前記通常の搬送路における搬送速度より低速で用紙を搬送する搬送部と、
前記読取用の搬送路に搬送された用紙上の前記特定の画像を読み取る１又は複数の読取部と、
前記読取部と用紙を挟んで対向する位置に配置され、前記読取部との距離が主走査方向において一定である面を有する用紙担持体と、
前記用紙担持体に用紙を吸着させる吸着部と、
を備える画像読取装置が提供される。
【００１０】
請求項２に記載の発明によれば、
前記搬送部は、前記通常の搬送路から前記調整用の搬送路へ用紙を分岐させると、用紙の搬送を一時停止し、前記通常の搬送路における搬送速度より低速で用紙を前記用紙担持体へ搬送する、
請求項１に記載の画像読取装置が提供される。
【００１１】
請求項３に記載の発明によれば、
前記用紙担持体は、前記読取部との距離が主走査方向において一定である外周面を有する回転体であり、
前記吸着部は、前記回転体の外周面に用紙を吸着させる、
請求項１又は２に記載の画像読取装置が提供される。
【００１２】
請求項４に記載の発明によれば、
前記用紙担持体は、前記読取部との距離が主走査方向において一定であるベルト面を有するループベルトであり、
前記吸着部は、前記ループベルトのベルト面に用紙を吸着させる、
請求項１又は２に記載の画像読取装置が提供される。
【００１３】
請求項５に記載の発明によれば、
前記用紙担持体は、金属又は樹脂により構成されている、
請求項１〜４のいずれか一項に記載の画像読取装置が提供される。
【００１４】
請求項６に記載の発明によれば、
前記吸着部は、前記用紙を前記用紙担持体に静電吸着させるか、又はエアー吸引により吸着させる、
請求項１〜５のいずれか一項に記載の画像読取装置が提供される。
【００１５】
請求項７に記載の発明によれば、
前記複数の読取部は、それぞれ種類が異なる読取部であり、前記用紙担持体に吸着した用紙と対向するように、用紙の搬送方向に並べて配置されている、
請求項１〜６のいずれか一項に記載の画像読取装置が提供される。
【００１６】
請求項８に記載の発明によれば、
前記読取部は、カラーラインイメージセンサー、分光測色センサー、色彩センサー又は光沢センサーである、
請求項７に記載の画像読取装置が提供される。
【００１７】
請求項９に記載の発明によれば、
前記複数の読取部のうち、用紙の搬送方向上流に位置する読取部が、カラーラインイメージセンサーであり、当該カラーラインイメージセンサーよりも搬送方向下流に位置する他の読取部が、分光測色センサー、色彩センサー又は光沢センサーであり、
前記カラーラインイメージセンサーにより読み取られた前記特定の画像の位置に合わせて、前記分光測色センサー、色彩センサー又は光沢センサーを主走査方向に移動させる移動部を備える、
請求項８に記載の画像読取装置が提供される。
【００１８】
請求項１０に記載の発明によれば、
前記読取用の搬送路に搬送された用紙専用の排紙トレイを備え、
前記搬送部は、前記特定の画像の読み取りが終了した用紙を、前記排紙トレイに搬送する、
請求項１〜９のいずれか一項に記載の画像読取装置が提供される。
【００１９】
請求項１１に記載の発明によれば、
用紙上に画像を形成し、定着処理する画像形成装置と、
前記画像形成装置により用紙上に形成された特定の画像を読み取る画像読取装置と、を備え、
前記画像読取装置は、
前記画像形成装置から、後処理装置又は排紙トレイへ用紙を搬送する通常の搬送路と、
前記通常の搬送路から分岐する読取用の搬送路と、
前記画像形成装置により、前記特定の画像が形成され、定着処理された用紙が前記通常の搬送路に搬送されると、当該用紙を前記読取用の搬送路へ分岐させ、前記読取用の搬送路では前記通常の搬送路における搬送速度より低速で用紙を搬送する搬送部と、
前記読取用の搬送路に搬送された用紙上の前記特定の画像を読み取る１又は複数の読取部と、
前記読取部と用紙を挟んで対向する位置に配置され、前記読取部との距離が主走査方向において一定である面を有する用紙担持体と、
前記用紙担持体に用紙を吸着させる吸着部と、
を備える画像形成システムが提供される。
【発明の効果】
【００２０】
本発明によれば、特定の画像が形成された用紙を読取用の搬送路において冷却し、安定化することができる。また、読取時には用紙担持体に用紙を吸着させることができ、用紙面と読取部間の距離を一定にして焦点が外れることを防ぐことができる。読取用の搬送路では低速で用紙が搬送されるので、読取部を低速で駆動することができ、光量不足及びノイズの発生を防いで、高精度な読み取りが可能である。
【図面の簡単な説明】
【００２１】
【図１】第１の実施の形態の画像形成システムの概略構成を示す正面図である。
【図２】第１の実施の形態の画像読取装置の概略構成を示す正面図である。
【図３】図２の画像読取装置の機能ブロック図である。
【図４】画像読取装置が特定の画像を読み取る際の処理手順を示すフローチャートである。
【図５】第２の実施の形態の画像読取装置の概略構成を示す正面図である。
【図６】第３の実施の形態の画像読取装置の概略構成を示す正面図である。
【発明を実施するための形態】
【００２２】
以下、本発明の画像読取装置及び画像形成システムの実施の形態について、図面を参照して説明する。
【００２３】
〔第１の実施の形態〕
図１は、第１の実施の形態に係る画像形成システムＧの概略構成を示している。
図１に示すように、画像形成システムＧは、プリントコントローラーｇ１、給紙ユニットｇ２、画像形成装置ｇ３、画像読取装置ｇ４１及び後処理装置ｇ５を備えている。
【００２４】
プリントコントローラーｇ１は、ネットワーク上のコンピューター端末からＰＤＬ（Page Description Language）データを受信し、当該ＰＤＬデータをラスタライズ処理してビットマップ形式の画像データを生成する。
プリントコントローラーｇ１は、Ｃ（シアン）、Ｍ（マジェンタ）、Ｙ（イエロー）及びＫ（黒）の各色の画像データを生成し、画像形成装置ｇ３に出力する。
【００２５】
給紙ユニットｇ２は、大容量の給紙トレイを複数備えている。
給紙ユニットｇ２は、画像形成装置ｇ３により指示された給紙トレイから画像形成装置ｇ３へ用紙を搬送する。
【００２６】
画像形成装置ｇ３は、操作部３１、表示部３２、スキャナー３３、給紙トレイ３４、画像形成部３５等を備えている。
画像形成装置ｇ３は、スキャナー３３により原稿を読み取って得られた画像データか、又はプリントコントローラーｇ１により生成された画像データに基づき、画像形成部３５により用紙上に画像を形成する。画像形成装置ｇ３は、画像が形成された用紙を画像読取装置ｇ４１へ搬送する。
【００２７】
画像形成部３５は、Ｃ、Ｍ、Ｙ及びＫの色ごとに、露光部３５１、感光体３５２及び現像部３５３を４セット備えている。
また、画像形成部３５は、中間転写ベルト３５４、２次転写ローラー３５５、定着装置３５６及び反転機構３５７を備えている。中間転写ベルト３５４は、無端ベルトであり、複数のローラーに巻き回されて回動している。各色の露光部３５１、感光体３５２及び現像部３５３は、中間転写ベルト３５４の回動方向に並列に配置されている。
【００２８】
露光部３５１は、画像データの各画素の階調値に応じてＬＤ（Laser Diode）を駆動し、帯電する感光体３５２上にレーザー光を照射して露光する。現像部３５３は、現像ローラーにより感光体３５２上にトナーを供給し、露光により感光体３５２上に形成された静電潜像を現像する。
このようにして、４つの感光体３５２上で現像された各色の画像は、中間転写ベルト３５４上に順次重ねて転写され、中間転写ベルト３５４上にカラー画像が形成される。２次転写ローラー３５５は、中間転写ベルト３５４上のカラー画像を、給紙トレイ３４又は給紙ユニットｇ２により給紙された用紙上に転写する。定着装置３５６は、転写後の用紙を加熱及び加圧して定着処理する。
【００２９】
画像形成部３５は、用紙の両面に画像を形成する場合、反転機構３５７により用紙の表裏を反転させ、もう一方の片面に画像を形成する。反転機構３５７は、通過する用紙の表裏を反転させて、２次転写ローラー３５５による転写位置へと再度用紙を搬送する搬送路を有している。
【００３０】
画像形成装置ｇ３は、定期的に又は任意のタイミングで画質の調整を実施することができる。
具体的には、画像形成装置ｇ３は、画像形成部３５により画質調整用の特定の画像を用紙上に形成し、当該用紙を定着処理して、画像読取装置ｇ４１に搬送する。画像形成装置ｇ３は、用紙の両面に特定の画像を形成することもでき、特定の画像が用紙の両面又は片面に形成されたことを画像読取装置ｇ４１に通知する。
特定の画像は、調整対象によって異なる画像が用いられ得る。例えば、最大階調値の調整の場合、最大階調値に設定されたベタパッチが特定の画像として用いられ、階調特性の調整の場合、階調値が段階的に異なるグラデーションパッチが特定の画像として用いられる。  
【００３１】
画像形成装置ｇ３は、画像読取装置ｇ４１により読み取られた特定の画像の読取値を取得する。
画像形成装置ｇ３は、得られた読取値に応じて、画像形成部３５において露光時に照射するレーザー光のレーザーパワー、現像時に現像ローラーに印加するバイアス電圧等の画像形成条件を調整することにより、最大階調値、階調特性等の画質を一定に調整することができる。
また、画像形成装置ｇ３は、読取値に応じて画像処理条件を調整することによっても、画質を一定に調整することができる。例えば、階調特性が目標特性となるように補正する画像処理の場合、各階調値に対する補正値が定められたＬＵＴ（Look Up Table）が用いられる。このＬＵＴを読取値に応じて更新することにより、階調特性を目標特性に調整することができる。
【００３２】
画像読取装置ｇ４１は、画質調整用の特定の画像が形成され、定着処理された用紙が、画像形成装置ｇ３から搬送されると、当該特定の画像を読み取る。画像読取装置ｇ４１は、排紙トレイＴ２を備え、読み取りが終了した用紙を当該排紙トレイＴ２に排紙する。
画像読取装置ｇ４１は、通常のジョブによって画像が形成され、定着処理された用紙が、画像形成装置ｇ３から搬送されると、画像の読み取りは行わずに、当該用紙をそのまま後処理装置ｇ５へ搬送する。
【００３３】
後処理装置ｇ５は、画像読取装置ｇ４１から搬送された用紙を後処理して、後処理装置ｇ５に取り付けられた排紙トレイＴ１に排紙する。
後処理としては、例えばステイプル処理、パンチ穴開け処理、折り処理、製本処理等が挙げられる。後処理は必須ではなく、後処理装置ｇ５は、画像形成装置ｇ３から指示された場合のみ実行する。
【００３４】
図２は、第１の実施の形態の画像読取装置ｇ４１の概略構成を示している。
図２に示すように、画像読取装置ｇ４１は、用紙の搬送路として、通常の搬送路Ｐ１と、当該搬送路Ｐ１から分岐する読取用の搬送路Ｐ２とを備えている。
【００３５】
通常の搬送路Ｐ１は、画像形成装置ｇ３から後処理装置ｇ５までを結ぶ搬送路をいう。画像形成システムＧに後処理装置ｇ５が設けられず、画像読取装置ｇ４１に排紙トレイＴ１が取り付けられる場合があるが、この場合の通常の搬送路とは、画像形成装置ｇ３から排紙トレイＴ１までを結ぶ搬送路をいう。
読取用の搬送路Ｐ２は、画像の読み取り専用に設けられた搬送路である。
【００３６】
通常の搬送路Ｐ１上には、複数の搬送ローラーｒ１が配置されている。搬送ローラーｒ１は１対のローラーであり、用紙をニップして搬送する。
通常の搬送路Ｐ１と読取用の搬送路Ｐ２の分岐点には、用紙の搬送路を搬送路Ｐ１又はＰ２のいずれかに切り替えるゲートａ１が配置されている。
【００３７】
読取用の搬送路Ｐ２の入口には、導入路Ｐ２１が設けられ、当該導入路Ｐ２１において用紙の搬送タイミング及び搬送速度を調整することができる。
また、用紙の両面に形成された特定の画像を読み取る場合、導入路Ｐ２１において用紙の読取面を反転させることができる。
【００３８】
画像読取装置ｇ４１は、導入路Ｐ２１上の用紙の搬送方向上流に用紙センサーｃ１及びレジストローラーｒ３２を備え、搬送方向下流に用紙センサーｃ２及びレジストローラーｒ３１を備えている。
また、画像読取装置ｇ４１は、導入路Ｐ２１より下流の読取用の搬送路Ｐ２上に、用紙担持体ｄ１、複数の搬送ローラーｒ２、分離ガイドｂ１及びｂ２、吸着部４６Ａ、２つの読取部４７１及び４８１、移動部４９並びに排紙トレイＴ２を備えている。
【００３９】
用紙センサーｃ１は、通常の搬送路Ｐ１から分岐して導入路Ｐ２１に進入した用紙を検出して、検出信号を出力する。
レジストローラーｒ３１は、用紙センサーｃ１からの検出信号に応じて、用紙の搬送を停止する。レジストローラーｒ３１は、所定のタイミングで用紙の搬送を再開し、垂直下方向へ用紙を搬送する。
また、レジストローラーｒ３１は、用紙担持体ｄ１により導入路Ｐ２１へ搬送された用紙を垂直上方向に搬送する。
【００４０】
用紙センサーｃ２は、用紙担持体ｄ１により導入路Ｐ２１へ搬送された用紙を検出して、検出信号を出力する。
レジストローラーｒ３２は、用紙センサーｃ２からの検出信号に応じて、垂直上方向への用紙の搬送を停止し、搬送方向を逆にして垂直下方向へ用紙を搬送する。
【００４１】
用紙担持体ｄ１は、各読取部４７１及び４８１との距離が主走査方向において一定である外周面を有する回転体である。主走査方向は、用紙の搬送方向と用紙面上で直交する方向をいう。
用紙担持体ｄ１は、図２に示すようにドラム状に形成されて回転軸を中心に回転し、外周面に用紙を巻き付けて搬送する。
【００４２】
用紙担持体ｄ１は、少なくとも外周面が金属又は樹脂により構成されている。
これにより、外周面に吸着した用紙を効率的に冷却することができる。
【００４３】
搬送ローラーｒ２は、用紙担持体ｄ１に圧接されて従動回転し、用紙担持体ｄ１に巻き付けられた用紙を搬送する。
分離ガイドｂ１及びｂ２は、用紙担持体ｄ１の外周面から用紙が分離するように、用紙をガイドする。
【００４４】
吸着部４６Ａは、帯電部４６１及び除電部４６２を備えている。
吸着部４６Ａは、帯電部４６１により用紙を帯電させ、用紙担持体ｄ１の外周面に当該用紙を静電吸着させる。
吸着部４６Ａは、帯電した用紙を除電部４６２により除電し、用紙担持体ｄ１への用紙の吸着を解除する。
【００４５】
各読取部４７１及び４８１は、用紙担持体ｄ１と用紙を挟んで対向する位置に配置され、用紙担持体ｄ１の外周面に吸着した用紙上に形成されている特定の画像を読み取る。
読取部４７１及び４８１は、それぞれ種類が異なる読取部であり、用紙担持体ｄ１に吸着した用紙と対向するように、用紙の搬送方向に並べて配置されている。
各読取部４７１及び４８１としては、カラーラインイメージセンサー、分光測色センサー、色彩センサー又は光沢センサーのいずれかを用いることができる。
【００４６】
カラーラインイメージセンサーは、複数のイメージセンサーが主走査方向に配列され、搬送される用紙上の画像を主走査方向の１ライン単位で読み取って、Ｒ、Ｇ及びＢの読取値を出力する。カラーラインイメージセンサーによれば、用紙全面の画像を読み取ることができる。
カラーラインイメージセンサーは、各イメージセンサーと用紙担持体ｄ１の外周面との距離が一定となる位置に配置されている。
【００４７】
分光測色センサーは、光を照射して用紙面で反射した光を分光し、波長ごとの反射率に応じてＸＹＺ表色系の三刺激値Ｘ、Ｙ及びＺを測定し、当該Ｘ、Ｙ及びＺを読取値として出力する。
色彩センサーは、視覚感度に応じた３つのセンサーにより三刺激値Ｘ、Ｙ及びＺを直接測定し、当該Ｘ、Ｙ及びＺを読取値として出力する。
光沢センサーは、用紙面に対して所定の角度で光を照射し、用紙面で反射した光の鏡面反射率から光沢度を算出して、読取値として出力する。
【００４８】
本実施の形態では、２つの読取部４７１及び４８１のうち、用紙の搬送方向上流に位置する読取部４７１が、カラーラインイメージセンサーであり、搬送方向下流に位置する他の読取部４８１が、分光測色センサー、色彩センサー又は光沢センサーである。
移動部４９は、カラーラインイメージセンサーである読取部４７１により読み取られた特定の画像の位置に合わせて、分光測色センサー、色彩センサー又は光沢センサーである読取部４８１を主走査方向に移動させる。
【００４９】
分光測色センサー、色彩センサー又は光沢センサーは、主走査方向の１ラインを読み取るカラーラインイメージセンサーと異なり、１点の読み取りとなる。特定の画像の形成位置が不明である場合は、先にカラーラインセンサーによって読み取ることにより、特定の画像の形成位置を決定することができ、分光測色センサー、色彩センサー又は光沢センサーの読取位置を、特定の画像の形成位置に合わせることができる。
【００５０】
移動部４９は、例えば読取部４８１と用紙担持体ｄ１の外周面との距離が主走査方向において一定となるように敷設されたレールと、読取部４８１を把持して当該レール上を移動するアームとを備えて構成することができる。
【００５１】
排紙トレイＴ２は、特定の画像が形成された用紙専用の排紙トレイである。
【００５２】
図３は、上記画像読取装置ｇ４１の機能ブロック図である。
画像読取装置ｇ４１は、図３に示すように、制御部４１、記憶部４２、信号処理部４３、Ｉ／Ｆ４４、搬送部４５、吸着部４６Ａ、読取部４７１及び４８１、駆動部４７２及び４８２並びに移動部４９を備えている。
【００５３】
制御部４１は、ＣＰＵ（Central Processing Unit）、ＲＡＭ（Random Access Memory）等を備えて構成されている。制御部４１は、記憶部４２に記憶されたプログラムを読み取って実行し、画像読取装置ｇ４１の各部を制御する。
【００５４】
例えば、制御部４１は、特定の画像が形成されたことが画像形成装置ｇ３により通知されると、搬送部４５により読取用の搬送路Ｐ２へ用紙を搬送させる。制御部４１は、吸着部４６Ａにより用紙を用紙担持体ｄ１に吸着させて、駆動部４７２に読み取りを指示する。
制御部４１は、読取部４７１により得られた読取値を解析して、特定の画像が形成された主走査方向の位置を決定し、当該位置への移動を移動部４９に指示する。また、制御部４１は、駆動部４８２に読み取りを指示する。
制御部４１は、各読取部４７１及び４８１により得られた読取値を、信号処理部４３により信号処理させて、記憶部４２に保存する。制御部４１は、画像形成装置ｇ３からの要求に応じて、記憶部４２に保存された読取値をＩ／Ｆ４４により画像形成装置ｇ３へ送信させる。
【００５５】
記憶部４２は、制御部４１が読み取り可能なプログラム、プログラムの実行に必要なファイル、データ等を記憶している。記憶部４２としては、例えばハードディスク、不揮発性メモリー等が用いられ得る。
また、記憶部４２は、信号処理された読取値を記憶する。
【００５６】
信号処理部４３は、各読取部４７１及び４８２から出力された読取値に、Ａ／Ｄ変換等の信号処理を施す。
【００５７】
Ｉ／Ｆ４４は、画像形成装置ｇ３及び後処理装置ｇ５と通信するためのインターフェイスである。Ｉ／Ｆ４４としては、ＵＳＢ（Universal Serial Bus）等が用いられ得る。
【００５８】
搬送部４５は、制御部４１の指示に応じて、搬送ローラーｒ１及びｒ２、レジストローラーｒ３１及びｒ３２、用紙担持体ｄ１、ゲートａ１等の搬送部材を駆動し、用紙を搬送する。
【００５９】
吸着部４６Ａは、上述したように、帯電部４６１により用紙を帯電させ、用紙担持体ｄ１の外周面に当該用紙を静電吸着させる。
【００６０】
駆動部４７２及び４８２は、制御部４１の指示に応じて、上述した読取部４７１及び４８１をそれぞれ駆動する。
【００６１】
移動部４９は、上述したように、制御部４１により指示された位置に、読取部４８１の位置を移動させる。
【００６２】
次に、上記画像読取装置ｇ４１が特定の画像を読み取る際の処理手順を説明する。
図４は、画像読取装置ｇ４１の処理手順を示すフローチャートである。
【００６３】
画像形成装置ｇ３により画像が形成され、定着処理された用紙が、通常の搬送路Ｐ１入口に搬送されると、画像読取装置ｇ４１では、図４に示すように制御部４１が当該用紙上の画像は特定の画像か否かを判断する（ステップＳ１）。
【００６４】
特定の画像が形成された場合、画像形成装置ｇ３によりその旨が通知されている。制御部４１は、画像形成装置ｇ３からの通知がなければ、用紙上の画像は特定の画像ではないと判断し（ステップＳ１；Ｎ）、通常の搬送路Ｐ１の使用を搬送部４５に指示する。
搬送部４５は、用紙を通常の搬送路Ｐ１を介して後処理装置ｇ５に搬送する（ステップＳ２）。用紙は、最終的に、後処理装置ｇ５に設けられた排紙トレイＴ１に排紙される。
【００６５】
画像形成装置ｇ３からの通知がある場合、制御部４１は用紙上の画像が特定の画像であると判断し（ステップＳ１；Ｙ）、読取用の搬送路Ｐ２への搬送を搬送部４５に指示する。
搬送部４５は、ゲートａ１を駆動して、通常の搬送路Ｐ１から用紙を分岐させて、読取用の搬送路Ｐ２へ搬送する（ステップＳ３）。
【００６６】
読取用の搬送路Ｐ２へ用紙を搬送後、導入路Ｐ２１において用紙センサーｃ１により検出信号が出力されると、搬送部４５は、レジストローラーｒ３１により当該用紙の搬送を一時停止する。搬送部４５は、所定のタイミングでレジストローラーｒ３１による搬送を再開し、通常の搬送路Ｐ１よりも低速で用紙を用紙担持体ｄ１へ搬送する（ステップＳ４）。具体的には、搬送部４５は、読取用の搬送路Ｐ２における用紙の搬送速度が通常の搬送路Ｐ１よりも低速となる回転速度で、搬送ローラーｒ２及び用紙担持体ｄ１を駆動し、低速化する。搬送速度は、用紙のバタつきが無く、読取部４７１及び４８１による読み取りを安定して行える程度まで、低速化されることが好ましい。
【００６７】
吸着部４６Ａは、用紙担持体ｄ１へ搬送された用紙を帯電部４６１により帯電させ、用紙担持体ｄ１の外周面に用紙を静電吸着させる（ステップＳ５）。
【００６８】
制御部４１は、読取部４７１の読取タイミングを決定して、当該読取タイミングで駆動部４７２に読み取りを指示する。導入路Ｐ２１において搬送が停止された用紙の位置から、読取部４７１による読取位置までの距離は一定であるので、読取部４７１の読取タイミングは、用紙のサイズ及び読取用の搬送路Ｐ２の搬送速度から決定することができる。
読取部４７１は、駆動部４７２により駆動されて、用紙担持体ｄ１に吸着した用紙上の特定の画像を読み取る（ステップＳ６）。
【００６９】
制御部４１は、読取部４７１により得られた読取値を解析し、用紙上の特定の画像の主走査方向の位置を決定する。移動部４９は、制御部４１により決定された位置に、読取部４８１を移動させる（ステップＳ７）。
また、制御部４１は、用紙の搬送速度、読取部４７１から読取部４８１までの距離及び読取部４７１の読取タイミングから、読取部４８１の読取タイミングを決定して、駆動部４８２に読み取りを指示する。
読取部４８１は、駆動部４８２に駆動されて、移動後の位置において、用紙担持体ｄ１の外周面に吸着した用紙上の特定の画像を読み取る（ステップＳ８）。
【００７０】
読取部４７１及び４８１の読み取り終了後、吸着部４６Ａは、用紙担持体ｄ１により搬送された用紙を、除電部４６２により除電し、静電吸着を解除する（ステップＳ９）。
静電吸着が解除された用紙は、分離ガイドｂ１により用紙担持体ｄ１から分離される。
【００７１】
画像形成装置ｇ３により、用紙の両面に特定の画像が形成されたことが通知されている場合（ステップＳ１０；Ｙ）、搬送部４５は、読取部４７１及び４８１が読み取る用紙面を反転させて（ステップＳ１１）、用紙担持体ｄ１へ再度用紙を搬送する。
具体的には、搬送部４５は、用紙担持体ｄ１から分離した用紙を、レジストローラーｒ３１により導入路Ｐ２１へ再度搬送する。そして、導入路Ｐ２１において、用紙センサーｃ２により検出信号が出力されると、搬送部４５は、レジストローラーｒ３２により用紙の搬送を停止し、搬送方向を逆にして用紙担持体ｄ１へ搬送する。これにより、用紙面が反転した用紙が用紙担持体ｄ１へ搬送される。
【００７２】
用紙面の反転後、上述したステップＳ５〜Ｓ９の処理が繰り返され、もう一方の片面に形成された特定の画像の読み取りが行われる。
【００７３】
画像形成装置ｇ３により、用紙の片面に特定の画像が形成されたことが通知されている場合（ステップＳ１０；Ｎ）、搬送部４５は、用紙担持体ｄ１から分離された用紙を、排紙トレイＴ２へ搬送する（ステップＳ１２）。
具体的には、搬送部４５は、用紙担持体ｄ１から分離した用紙を、レジストローラーｒ３１により導入路Ｐ２１へ再度搬送する。そして、導入路Ｐ２１において、用紙センサーｃ２により検出信号が出力されると、搬送部４５は、レジストローラーｒ３２により用紙の搬送を停止し、搬送方向を逆にして用紙担持体ｄ１へ搬送する。
用紙担持体ｄ１への搬送路上には帯電部４６１が配置されているが、読み取りが終了した用紙に対して、帯電部４６１による帯電は行われない。用紙は、用紙担持体ｄ１に静電吸着せずに分離ガイドｂ２により用紙担持体ｄ１から分離されて、専用の排紙トレイＴ２へ排紙される。
【００７４】
以上のように、第１の実施の形態によれば、画像読取装置ｇ４１は、用紙の通常の搬送路Ｐ１と、通常の搬送路Ｐ１から分岐する読取用の搬送路Ｐ２と、特定の画像が形成され、定着処理された用紙が通常の搬送路Ｐ１に搬送されると、当該用紙を読取用の搬送路Ｐ２へ分岐させ、読取用の搬送路Ｐ２では通常の搬送路Ｐ１における搬送速度より低速で用紙を搬送する搬送部４５と、読取用の搬送路に搬送された用紙上の特定の画像を読み取る読取部４７１及び４８１と、各読取部４７１及び４８１と用紙を挟んで対向する位置に配置され、各読取部４７１及び４８１との距離が主走査方向において一定である面を有する用紙担持体ｄ１と、用紙担持体ｄ１に用紙を吸着させる吸着部４６Ａと、を備えている。
【００７５】
また、用紙担持体ｄ１は、各読取部４７１及び４８１との距離が主走査方向において一定である外周面を有する回転体であり、吸着部４６Ａは、回転体の外周面に用紙を静電吸着させる。
【００７６】
このように、第１の実施の形態によれば、通常の搬送路Ｐ１とは別に読取用の搬送路Ｐ２を設けるので、読み取りのために、画像形成を低速化する必要がなく、生産性を低下させない。
また、比較的長い距離の搬送路Ｐ２とすることができ、定着処理直後の高温高湿度下の不安定な状態にある用紙を、冷却して安定化することができる。種類が異なる複数の読取部４７１及び４８１を配置することも可能となる。
【００７７】
読取時には、用紙担持体ｄ１の外周面に用紙を静電吸着させるので、用紙面と各読取部４７１及び４８１間の距離を一定に保持することができる。読取時に焦点が外れることを防ぐことができ、高精度な読み取りが可能である。
【００７８】
読取用の搬送路Ｐ２では、搬送速度が低速化されるため、読取部４７１及び４８１を安定的に駆動することができる。これにより、必要十分な光量が得られ、広いダイナミックレンジを確保できるとともに、ノイズが減少し、Ｓ／Ｎ比が向上することから、高精度な読み取りが可能である。
また、分光測色センサー、色彩センサー又は光沢センサーは、カラーラインイメージセンサーに比較して読み取りに時間を要し、高速化に対応することが難しいが、搬送速度の低速化によって分光測色センサー、色彩センサー又は光沢センサーの使用が可能となる。種類が異なる読取値を用いて高精度な画質調整が可能である。
さらに、低速搬送によって、用紙のバタつきを抑えることができ、読取時に焦点が外れることを防いで、高精度な読み取りが可能である。
【００７９】
〔第２の実施の形態〕
第２の実施の形態の画像読取装置は、用紙担持体として、ループベルトを用いる。
第２の実施の形態の画像読取装置は、用紙担持体としてループベルトを用いる以外は、第１の実施の形態の画像読取装置ｇ４１と、基本的に同じ構成である。以下、同じ構成部には同じ符号を付して詳細な説明を省略し、異なる構成部について説明する。
【００８０】
図５は、第２の実施の形態の画像読取装置ｇ４２の概略構成を示している。
画像読取装置ｇ４２は、図５に示すように、読取用の搬送路Ｐ２上に、用紙担持体ｄ２１を備えている。
用紙担持体ｄ２１は、各読取部４７１及び４８１との距離が主走査方向において一定であるベルト面を有するループベルトである。用紙担持体ｄ２１は、回転する２つのローラーに架け渡されて回動し、ベルト面上の用紙を搬送する。
用紙担持体ｄ２１は、少なくともベルト表面が金属又は樹脂により構成されていることが好ましい。これにより、ベルト表面に吸着した用紙を効率的に冷却することができる。
【００８１】
用紙担持体ｄ２１へ至る搬送路と排紙トレイＴ２へ至る搬送路の分岐点には、ゲートａ２が配置されている。
搬送部４５は、ゲートａ２を駆動して、用紙担持体ｄ２１へ至る搬送路と排紙トレイＴ２へ至る搬送路を切り替えることができる。
【００８２】
なお、第２の実施の形態の画像形成システムは、画像読取装置ｇ４１を画像読取装置ｇ４２に置き換える以外は、第１の実施の形態の画像形成システムＧと同様の構成である。
【００８３】
第２の実施の形態の画像読取装置ｇ４２が特定の画像を読み取る際の処理手順は、第１の実施の形態の画像読取装置ｇ４１と同じである。よって、図４を参照して、画像読取装置ｇ４２の処理手順を説明する。
【００８４】
画像形成装置ｇ３により画像が形成され、定着処理された用紙が、通常の搬送路Ｐ１入口に搬送されると、図４に示すように、画像読取装置ｇ４２では制御部４１が、当該用紙上の画像は特定の画像か否かを判断する（ステップＳ１）。
【００８５】
特定の画像が形成された場合、画像形成装置ｇ３によりその旨が通知されている。制御部４１は、画像形成装置ｇ３からの通知がなければ、用紙上の画像は特定の画像ではないと判定し（ステップＳ１；Ｎ）、通常の搬送路Ｐ１の使用を搬送部４５に指示する。
搬送部４５は、用紙を通常の搬送路Ｐ１を介して後処理装置ｇ５へ搬送する（ステップＳ２）。用紙は、最終的に、後処理装置ｇ５が備える排紙トレイＴ１に排紙される。
【００８６】
画像形成装置ｇ３からの通知がある場合、制御部４１は用紙上の画像が特定の画像であると判断し（ステップＳ１；Ｙ）、読取用の搬送路Ｐ２への搬送を搬送部４５に指示する。
搬送部４５は、ゲートａ１を駆動して、通常の搬送路Ｐ１から用紙を分岐させて、読取用の搬送路Ｐ２へ搬送する（ステップＳ３）。
【００８７】
読取用の搬送路Ｐ２へ用紙を搬送後、導入路Ｐ２１において用紙センサーｃ１により検出信号が出力されると、搬送部４５は、レジストローラーｒ３１により当該用紙の搬送を一時停止する。搬送部４５は、所定のタイミングでレジストローラーｒ３１による搬送を再開し、通常の搬送路Ｐ１よりも低速で用紙を用紙担持体ｄ２１へ搬送する（ステップＳ４）。具体的には、搬送部４５は、読取用の搬送路Ｐ２における用紙の搬送速度が通常の搬送路Ｐ１よりも低速となる回転速度で、搬送ローラーｒ１及び用紙担持体ｄ２１を駆動し、低速化する。搬送速度は、用紙のバタつきが無く、読取部４７１及び４８１による読み取りを安定して行える程度まで、低速化されることが好ましい。
【００８８】
吸着部４６Ａは、用紙担持体ｄ２１へ搬送された用紙を帯電部４６１により帯電させ、用紙担持体ｄ２１のベルト面に用紙を静電吸着させる（ステップＳ５）。
【００８９】
読取部４７１は、駆動部４７２に駆動されて、用紙担持体ｄ２１に吸着した用紙上の特定の画像を読み取る（ステップＳ６）。
前述したように、制御部４１が読取部４７１及び４８１の読取タイミングを決定する。
【００９０】
制御部４１は、読取部４７１により得られた読取値を解析し、用紙上の特定の画像の主走査方向の位置を決定する。移動部４９は、制御部４１により決定された位置に、読取部４８１の位置を移動させる（ステップＳ７）。
読取部４８１は、駆動部４８２に駆動されて、移動後の位置において、用紙担持体ｄ２１のベルト面に吸着した用紙上の特定の画像を読み取る（ステップＳ８）。
【００９１】
読取部４７１及び４８１の読み取り終了後、吸着部４６Ａは、用紙担持体ｄ２１により搬送された用紙を、除電部４６２により除電し、静電吸着を解除する（ステップＳ９）。
【００９２】
画像形成装置ｇ３により、用紙の両面に特定の画像が形成されたことが通知されている場合（ステップＳ１０；Ｎ）、搬送部４５は、読取部４７１及び４８１と対面する用紙面を反転させて（ステップＳ１１）、用紙担持体ｄ２１へ再度用紙を搬送する。
具体的には、搬送部４５は、静電吸着が解除された用紙を、搬送ローラーｒ１、ガイドｂ３及びレジストローラーｒ３１により導入路Ｐ２１へ再度搬送する。そして、導入路Ｐ２１において用紙センサーｃ２により検出信号が出力されると、搬送部４５は、レジストローラーｒ３２により用紙の搬送を一時停止した後、搬送方向を逆にして用紙担持体ｄ２１へ搬送する。これにより、用紙面が反転した用紙が用紙担持体ｄ２１へ搬送される。
【００９３】
用紙面の反転後、上述したステップＳ５〜Ｓ９の処理が繰り返され、もう一方の片面に形成された特定の画像の読み取りが行われる。
【００９４】
画像形成装置ｇ３により、用紙の片面に特定の画像が形成されたことが通知されている場合（ステップＳ１０；Ｎ）、搬送部４５は、用紙担持体ｄ２１から分離された用紙を、排紙トレイＴ２へ搬送する（ステップＳ１２）。
具体的には、搬送部４５は、上述した用紙面を反転させる場合と同様にして、静電吸着が解除された用紙を導入路Ｐ２１に再度搬送する。そして、搬送部４５は、ゲートａ２を駆動して、導入路Ｐ２１から排紙トレイＴ２へと用紙を搬送する。
【００９５】
以上のように、第２の実施の形態によれば、画像読取装置ｇ４２は、用紙の通常の搬送路Ｐ１と、通常の搬送路Ｐ１から分岐する読取用の搬送路Ｐ２と、特定の画像が形成され、定着処理された用紙が通常の搬送路Ｐ１に搬送されると、当該用紙を読取用の搬送路Ｐ２へ分岐させ、読取用の搬送路Ｐ２では通常の搬送路Ｐ１における搬送速度より低速で用紙を搬送する搬送部４５と、読取用の搬送路Ｐ２に搬送された用紙上の特定の画像を読み取る読取部４７１及び４８１と、各読取部４７１及び４８１と用紙を挟んで対向する位置に配置され、各読取部４７１及び４８１との距離が主走査方向において一定である面を有する用紙担持体ｄ２１と、用紙担持体ｄ２１に用紙を吸着させる吸着部４６Ａと、を備える。
【００９６】
また、用紙担持体ｄ２１は、各読取部４７１及び４８１との距離が主走査方向において一定であるベルト面を有するループベルトであり、吸着部４６Ａは、ループベルトのベルト面に用紙を静電吸着させる。
【００９７】
これにより、第１の実施の形態と同様の効果を得ることができ、高精度な読み取りが可能となる。
【００９８】
〔第３の実施の形態〕
第３の実施の形態の画像読取装置は、エアー吸引により用紙担持体に用紙を吸着させる。
第３の実施の形態の画像読取装置は、用紙をエアー吸引により吸着させる以外は、第２の実施の形態の画像読取装置ｇ４２と、基本的に同じ構成である。以下、同じ構成部には同じ符号を付して詳細な説明を省略し、異なる構成部について説明する。
【００９９】
図６は、第３の実施の形態の画像読取装置ｇ４３の概略構成を示している。
画像読取装置ｇ４３は、図６に示すように、読取用の搬送路Ｐ２上に、用紙担持体ｄ２２と、吸着部４６Ｂとを備えている。
【０１００】
用紙担持体ｄ２２は、各読取部４７１及び４８１との距離が主走査方向において一定であるベルト面を有するループベルトである。用紙担持体ｄ２２は、回転する２つのローラーに架け渡されて回動し、ベルト面上の用紙を搬送する。
用紙担持体ｄ２２のベルト面は、複数の吸気孔が均一な間隔で形成されている。
また、用紙担持体ｄ２２は、少なくともベルト面が金属又は樹脂により構成されていることが好ましい。これにより、ベルト面に吸着した用紙を効率的に冷却することができる。
【０１０１】
吸着部４６Ｂは、用紙担持体ｄ２２のベルト面の内部に配置されたエアー吸引部４６３を備えている。
吸着部４６Ｂは、エアー吸引部４６３により、用紙担持体ｄ２２のベルト面の内側から吸気孔を介してエアーを吸引することにより、用紙を用紙担持体ｄ２２のベルト面に吸着させる。
【０１０２】
なお、第３の実施の形態の画像形成システムは、画像読取装置ｇ４１を画像読取装置ｇ４３に置き換える以外は、第１の実施の形態の画像形成システムＧと同様の構成である。
【０１０３】
第３の実施の形態の画像読取装置ｇ４３が特定の画像を読み取る際の処理手順は、第１の実施の形態の画像読取装置ｇ４１と同じである。よって、図４を参照して、画像読取装置ｇ４３の処理手順を説明する。
【０１０４】
画像形成装置ｇ３により画像が形成され、定着処理された用紙が、通常の搬送路Ｐ１入口に搬送されると、図４に示すように、画像読取装置ｇ４３では制御部４１が、当該用紙上の画像は特定の画像か否かを判断する（ステップＳ１）。
【０１０５】
特定の画像が形成された場合、画像形成装置ｇ３によりその旨が通知されている。制御部４１は、画像形成装置ｇ３からの通知がなければ、用紙上の画像は特定の画像ではないと判定し（ステップＳ１；Ｎ）、通常の搬送路Ｐ１の使用を搬送部４５に指示する。
搬送部４５は、用紙を通常の搬送路Ｐ１を介して後処理装置ｇ５へ搬送する（ステップＳ２）。用紙は、最終的に、後処理装置ｇ５が備える排紙トレイＴ１に排紙される。
【０１０６】
画像形成装置ｇ３からの通知がある場合、制御部４１は用紙上の画像が特定の画像であると判断し（ステップＳ１；Ｙ）、読取用の搬送路Ｐ２への搬送を搬送部４５に指示する。
搬送部４５は、ゲートａ１を駆動して、通常の搬送路Ｐ１から読取用の搬送路Ｐ２へ、用紙を分岐させて搬送する（ステップＳ３）。
【０１０７】
読取用の搬送路Ｐ２へ用紙を搬送後、導入路Ｐ２１において用紙センサーｃ１により検出信号が出力されると、搬送部４５は、レジストローラーｒ３１により当該用紙の搬送を一時停止する。搬送部４５は、所定のタイミングでレジストローラーｒ３１による搬送を再開し、通常の搬送路Ｐ１よりも低速で用紙を用紙担持体ｄ２２へ搬送する（ステップＳ４）。具体的には、搬送部４５は、読取用の搬送路Ｐ２における用紙の搬送速度が通常の搬送路Ｐ１よりも低速となる回転速度で、搬送ローラーｒ１及び用紙担持体ｄ２２を駆動し、低速化する。搬送速度は、用紙のバタつきが無く、読取部４７１及び４８１による読み取りを安定して行える程度まで、低速化されることが好ましい。
【０１０８】
吸着部４６Ｂは、エアー吸引部４６３によりエアーを吸引し、用紙を用紙担持体ｄ２２のベルト面に吸着させる（ステップＳ５）。
【０１０９】
読取部４７１は、駆動部４７２に駆動されて、用紙担持体ｄ２２に吸着した用紙上の特定の画像を読み取る（ステップＳ６）。
前述したように、制御部４１が読取部４７１及び４８１の読取タイミングを決定する。
【０１１０】
制御部４１は、読取部４７１により得られた読取値を解析し、用紙上の特定の画像の主走査方向の位置を決定する。移動部４９は、制御部４１により決定された位置に、読取部４８１の位置を移動させる（ステップＳ７）。
読取部４８１は、駆動部４８２に駆動されて、移動後の位置において、用紙担持体ｄ２２のベルト面に吸着した用紙上の特定の画像を読み取る（ステップＳ８）。
【０１１１】
読取部４７１及び４８１の読み取りが終了した用紙は、用紙担持体ｄ２２の搬送面より下流に搬送されると、エアー吸引による吸着が解除される（ステップＳ９）。
【０１１２】
画像形成装置ｇ３により、用紙の両面に特定の画像が形成されたことが通知されている場合（ステップＳ１０；Ｎ）、搬送部４５は、読取部４７１及び４８１と対面する用紙面を反転させて（ステップＳ１１）、用紙担持体ｄ２２へ再度用紙を搬送する。
具体的には、搬送部４５は、エアー吸引による吸着が解除された用紙を、搬送ローラーｒ１、ｒ２、ガイドｂ３及びレジストローラーｒ３１により導入路Ｐ２１へ再度搬送する。そして、導入路Ｐ２１において用紙センサーｃ２により検出信号が出力されると、搬送部４５は、レジストローラーｒ３２により用紙の搬送を一時停止した後、搬送方向を逆にして用紙担持体ｄ２２へ搬送する。これにより、用紙面が反転した用紙が用紙担持体ｄ２２へ搬送される。
【０１１３】
用紙面の反転後、上述したステップＳ５〜Ｓ９の処理が繰り返され、もう一方の片面に形成された特定の画像の読み取りが行われる。
【０１１４】
画像形成装置ｇ３により、用紙の片面に特定の画像が形成されたことが通知されている場合（ステップＳ１０；Ｎ）、搬送部４５は、用紙担持体ｄ２２から分離された用紙を、排紙トレイＴ２へ搬送する（ステップＳ１２）。
具体的には、搬送部４５は、上述した用紙面を反転させる場合と同様にして、エアー吸引による吸着が解除された用紙を導入路Ｐ２１に再度搬送する。そして、搬送部４５は、ゲートａ２を駆動して、導入路Ｐ２１から排紙トレイＴ２へと用紙を搬送する。
【０１１５】
以上のように、第３の実施の形態によれば、画像読取装置ｇ４３は、用紙の通常の搬送路Ｐ１と、通常の搬送路Ｐ１から分岐する読取用の搬送路Ｐ２と、特定の画像が形成され、定着処理された用紙が通常の搬送路Ｐ１に搬送されると、当該用紙を読取用の搬送路Ｐ２へ分岐させ、読取用の搬送路Ｐ２では通常の搬送路Ｐ１における搬送速度より低速で用紙を搬送する搬送部４５と、読取用の搬送路Ｐ２に搬送された用紙上の特定の画像を読み取る読取部４７１及び４８１と、各読取部４７１及び４８１と用紙を挟んで対向する位置に配置され、各読取部４７１及び４８１との距離が主走査方向において一定である面を有する用紙担持体ｄ２２と、用紙担持体ｄ２２に用紙を吸着させる吸着部４６Ｂと、を備える。
【０１１６】
また、用紙担持体ｄ２２は、各読取部４７１及び４８１との距離が主走査方向において一定であるベルト面を有するループベルトであり、吸着部４６Ｂは、エアー吸引により、ループベルトのベルト面に用紙を吸着させる。
【０１１７】
これにより、第１の実施の形態と同様の効果を得ることができ、高精度な読み取りが可能である。
【０１１８】
上記実施の形態は本発明の好適な一例であり、これに限定されない。本発明の主旨を逸脱しない範囲で適宜変更可能である。
例えば、第１の実施の形態に係る用紙担持体ｄ１の内部に、第３の実施の形態に係る吸着部４６Ｂを設け、エアー吸引により、用紙担持体ｄ１の外周面に用紙を吸着させることもできる。
【０１１９】
また、第１〜第３の各実施の形態では、２つの読取部４７１及び４８１の例を挙げたが、１つの読取部のみであってもよいし、３つ以上の読取部であってもよい。
【０１２０】
また、第１〜第３の実施の形態の各画像読取装置ｇ４１〜ｇ４３は、画質調整用の画像だけではなく、画像の位置合わせに用いられるトンボ等の画像を、特定の画像として読み取ることもできる。
【符号の説明】
【０１２１】
Ｇ    画像形成システム
ｇ３    画像形成装置
ｇ４１  画像読取装置（第１の実施の形態）
４１    制御部
４５    搬送部
ｄ１    回転体
４６Ａ    吸着部
Ｔ２    排紙トレイ
Ｐ１    通常の搬送路
Ｐ２    読取用の搬送路
Ｐ３    調整用の搬送路
４６１    帯電部
４７１、４７２    読取部
ｇ４２  画像読取装置（第２の実施の形態）
ｄ２１    ループベルト
ｇ４３  画像読取装置（第３の実施の形態）
ｄ２２    ループベルト
４６Ｂ    吸着部
４６３    エアー吸引部
【図１】
2015015512.tif 000003
【図２】
2015015512.tif 000004
【図３】
2015015512.tif 000005
【図４】
2015015512.tif 000006
【図５】
2015015512.tif 000007
【図６】
2015015512.tif 000008